(57)【特許請求の範囲】
【請求項１】
容器の口部壁と嵌合する突条と、同口部壁に圧接する内筒と、上部に上壁を有する筒部と、前記上壁に設けられた注出筒とを備え、該注出筒の内側に形成された、スコアにより開口形成部を区画された合成樹脂製中蓋と、該中蓋より高い剛性と水の沸点より高い軟化温度を有する合成樹脂製で、前記筒部外周に圧接する外筒と、該外筒にヒンジにより結合された蓋体とから成る外蓋と、前記筒部に、少なくとも前記筒部の内径より外側に形成され、後記外筒の内側掛合部と上方から上下方向に掛合する外側掛合部と、前記外筒の内側に接して形成された、前記外側掛合部の下側から前記外側掛合部と上下方向に掛合する内側掛合部と、前記外筒に形成された、栓抜きと係止する係止部とから成り、該係止部は、前記内側掛合部と外側掛合部が掛合する部分の斜め下方に形成され、前記係止部と前記両掛合部は、半径方向の間隔全く小さく形成されることにより、半径方向の間隔の長さがもたらすモーメントによる力の分散が殆ど起こらず、前記中蓋と外蓋を一体的に取り外し可能に形成されていることを特徴とする、栓抜き使用の分別回収耐熱ヒンジキャップ。
【請求項２】
外側掛合部は筒部の上部で外側に突出部として形成され、内側掛合部は外筒の内側に接して前記突出部の下面を受ける支承部として形成されている請求項１記載の、栓抜き使用の分別回収耐熱ヒンジキャップ。
【請求項３】
係止部はヒンジ部の下部に形成されている請求項１又は２記載の栓抜き使用の分別回収耐熱ヒンジキャップ。
【請求項４】
注出筒は該注出筒の、係止部に掛けた栓抜きの上部が対応する部分に、切欠き、又は薄肉部、及び又は複数の上下方向の弱化線から成る変形部を有する、請求項１、２又は３記載の栓抜き使用の分別回収耐熱ヒンジキャップ。
【発明の詳細な説明】
【０００１】
【発明の属する技術分野】
この発明は容器に内溶液を充填する際に、殺菌又は醗酵の停止等のため高温に加熱し、高温充填を行う容器に用いることができるように、外蓋と中蓋とから成り、容器の回収に際しては前記外蓋と中蓋を一度の動作で共に一体的に外すことのできる、栓抜き使用の分別回収耐熱ヒンジキャップに関する。
【０００２】
【従来の技術】
従来上記のような加熱液体を収容する容器に用いる分別回収耐熱キャップ（以下キャップと略称する）は、周知のため図示を省略するが一般に合成樹脂製の中蓋と、この外側に装着する合成樹脂製の外蓋とから成っており、このキャップを容器の回収の際、容器の口部から取りはずすには例えば外蓋の一部を破断して取り外し、その後中蓋を外し取る。即ち外蓋及び中蓋は別々に、二回の動作により外していた。
【０００３】
【発明が解決しようとする課題】
前記従来のキャップは、前記のように容器口部から外し取る場合、外蓋及び中蓋を別々に外すため二度の手間を必要とする。
これは容器のリサイクルを行う回収の作業所等において、大量の容器を扱う場合に通常のキャップの二倍の、面倒な作業となることが避けられない。
この発明は上記のような問題を解決するためになされたもので、その目的は充填作業の際に、高温充填のため合成樹脂の軟化による密閉性の減少を実用上差し支えない範囲に抑制することができるとともに、容器の内容消費後に容器の回収を行う際には、外蓋と中蓋とを、栓抜きを用いて一度の動作により共に一体的に外すことのできる、栓抜き使用の分別回収耐熱ヒンジキャップを提供することである。
【０００４】
【課題を解決するための手段】
前記の課題を解決するこの発明について述べるとそれは、容器の口部壁と嵌合する突条と、同口部壁に圧接する内筒と、上部に上壁を有する筒部と、前記上壁に設けられた注出筒とを備え、該注出筒の内側に形成された、スコアにより開口形成部を区画された合成樹脂製中蓋と、該中蓋より高い剛性と水の沸点より高い軟化温度を有する合成樹脂製で、前記筒部外周に圧接する外筒と、該外筒にヒンジにより結合された蓋体とから成る外蓋と、前記筒部に、少なくとも前記筒部の内径より外側に形成され、後記外筒の内側掛合部と上方から上下方向に掛合する外側掛合部と、前記外筒の内側に接して形成された、前記外側掛合部の下側から前記外側掛合部と上下方向に掛合する内側掛合部と、前記外筒に形成された、栓抜きと係止する係止部とから成り、該係止部は、前記内側掛合部と外側掛合部が掛合する部分の斜め下方に形成され、前記係止部と前記両掛合部は、半径方向の間隔が全く小さく形成されることにより、半径方向の間隔の長さがもたらすモーメントによる力の分散が殆ど起こらず、前記中蓋と外蓋を一体的に取り外し可能に形成されていることを特徴とする栓抜き使用の分別回収耐熱ヒンジキャップである。
又、外側掛合部は筒部の上部で外側に突出部として形成され、内側掛合部は外筒の内側に接して前記突出部の下面を受ける支承部として形成されている、前記栓抜き使用の分別回収耐熱ヒンジキャップである。
又、係止部はヒンジ部の下部に形成されている、前記栓抜き使用の分別回収耐熱ヒンジキャップである。
又、注出筒は該注出筒の、係止部に掛けた栓抜きの上部が対応する部分に、切欠き、又は薄肉部、及び又は複数の上下方向の弱化線から成る変形部を有する、前記栓抜き使用の分別回収耐熱ヒンジキャップである。
【０００５】
【作用】
請求項１の発明は前記のように構成されたことにより、容器にジュース、酒類等を充填する場合に、殺菌又は充填後の醗酵の停止等のめに高温に加熱して充填する。この場合前記液体商品の熱は容器の口部を伝わり、キャップに達し、前記口部に圧接している筒部に及び、該筒部内面を軟化させ、その圧接による密閉力を減少させる。この場合該筒部の外側に圧接している水の沸点より高い軟化温度の外蓋の、外筒の前記圧接が前記減少分を補充し、前記密閉力の減少を実用上差支えない範囲に抑制することができる。そして容器内の内容液体を消費した後、容器の回収に際しては一例として蓋体を持って捩り、ヒンジから破断させる。
但し前記係止部がヒンジの下部の外、例えば図示は省略するがヒンジの側方等に設けられているものはヒンジを破断しなくても差支えはない。
そして前記外筒に形成した栓抜きの係止部に栓抜きをかけ、その下部を上向きに回転させ、通常の栓抜き動作によってそのキャップを外し取る。この場合前記中蓋と外蓋とは、中蓋の筒部に、かつ少なくとも前記筒部の内径より外側に形成した外側掛合部と、外蓋の外筒の内側に接して形成された内側掛合部が、前記外側掛合部の下側から上下方向に掛合しているから、前記係止部と前記両掛合部の掛合箇所との半径方向の間隔は全く小さく、或いは無く形成することができるから、前記半径方向の間隔の長さのもたらすモーメントによる各部分の変形による力の分散が殆ど起らずにすみ、力は殆ど直達し、かつ又前記外側掛合部は少なくとも筒部の内径より外側に形成されたことにより、外側掛合部に内側掛合部を介して加えられる力は、殆どが筒部に、該筒部を押し上げる方向に働くから、しかも外筒は前記筒部に較べて剛性が高いため、栓抜きの係止部に係る力によって外筒は伸び又は変形等は実用上無いので、ここにおいても力の分散が殆どないため前記のように力が直達し、このため両蓋の部材の変形に伴う抜けにくさがなく、外蓋と中蓋は共に一度に一体的に前記口部から外すことができる。
【０００６】
請求項２の発明は前記のように構成されたことにより、このキャップを容器の口部から外す場合に、栓抜きをかける係止部と、外側掛合部と内側掛合部との掛合する部分との半径方向の距離は無くすことができるから、栓抜きの力の半径方向における長さが長い場合のようなモーメントによる各部材の変形がないので、かつ外筒は筒部よりも剛性が高く形成されているので、外筒の変形にもとずく力の分散が殆ど無いので、外蓋と中蓋は共に一度の栓抜き操作でもどかしい変形による抜けにくさがなく、一体的に壮快に外し取ることができる。
【０００７】
請求項３の発明は前記のように構成されたことにより、このキャップを容器の口部から外す場合、図３に示すように栓抜きの係止部と、内側、外側両掛合部の掛合部分とは、ほぼ栓抜きの軸線上に位置させることができるから、又は同軸線上に近づけることができるから、栓抜きの及ぼす力の分散がごく少くてすむため、効果的に中蓋と外蓋とを共に一体的に、一度に外すことができる。
なお上記軸線とは栓抜きの際にキャップに圧接する上下の部分を結ぶ仮想線を指している。
【０００８】
請求項４の発明は前記のように構成されたことにより、栓抜きを係止する係止部と、内側、外側両掛合部の掛合部分との距離、即ち半径方向の間隔は、外筒の厚さ部分だけであり、かつ外筒は筒部よりも剛性の高い合成樹脂で形成されているため、栓抜きの作動による半径方向の各部材にかかるモーメントによる変形は殆ど起らず、このため中蓋、外蓋両部材の変形による力の分散が殆ど起らず一度の栓抜き動作により、両蓋は同時に一体的に外し取ることができる。
しかも外筒の下端の内側掛合部は筒部の下端面を受けているから、外筒により筒部下端の一部を押し上げることになり、中、外両蓋は一度に、一体的に外すことができるのである。
【０００９】
請求項５の発明は前記のように構成されたことにより、係止部はヒンジと一体に、ヒンジの下部に形成されたことにより、係止部における合成樹脂の質量は大きく形成でき、かつ同係止部は中蓋より大きな剛性を有する合成樹脂によって形成されているため、ここに掛けられる栓抜きの力によっては殆ど変形しないため、変形に伴う力の分散を防止でき、キャップの外し取りに効果的に力を加えることができるから中蓋と外蓋を一度に、一体的に外し取ることができる。
又係止部はヒンジの下部に形成されているため、ヒンジを破断して蓋体を取りさらなければ係止部に栓抜きを係止できないから、このキャップの不正な開封を防止することができる。
【００１０】
請求項６の発明は前記のように構成されたことにより、栓抜きを係止部に浅く僅かにかけ、同栓抜きの上部を、注出筒の前記係止部と対応する部分に形成された切欠きに当て、又は薄肉部及び又は複数の上下方向の弱化線等から成る変形部に当て、この部分を斜め下方に押圧することにより、栓抜きは、水平方向に傾いた斜めの状態とすることができる。この場合仮に前記変形部が無い場合には、栓抜きは垂直に近い状態となり、前記係止部には浅く、僅にしか係止できず、栓抜き動作ができなかったのであるが、このように水平方向に傾けることができたことにより、栓抜きを前記係止部に充分に掛けることができ、栓抜き動作を行うことができる。かつ又内、外両掛合部の掛合部分と係止部との、半径方向の距離の少なさと相まって外蓋と中蓋を一つの動作で、一体的に共に容器から外しとることができる。
【００１１】
【発明の実施の形態】
図１及び図２において、１は中蓋であり合成樹脂、一例としてポリエチレンにより形成されており、筒部２と上壁３を有している。
前記筒部２は容器１６の口部１７外周に圧接する直径に形成され、その内側に、前記口部１７の凹条１８に圧接して嵌合する突条４を有している。前記上壁３には容器１６の内容液等を注出する注出筒５が形成されている。そして前記上壁３の注出筒５内側にはスコア６により開口形成部７が区画されている。１９はその上に形成された、前記スコア６裂切り用の裂取部材である。２０は内筒、２１は筒部２の上部に形成された、次に記述する外蓋８の蓋体９の閉止の際の係合部を示す。
なおこの記載から容易に理解されるように、該係合部２１は筒部２の一部をなしている。
【００１２】
８は前記中蓋１を形成する合成樹脂よりも剛性の高い、かつ水の沸点より高い軟化点を有する合成樹脂、一例としてポリプロピレンにより形成された外蓋で、外筒１０と、これにヒンジ１１により結合された蓋体９から成っている。前記外筒１０は前記筒部２の外側に圧接させられている。なお前記ヒンジ１１は前記蓋体９を持って捩ることにより容易に破断するように形成されている。
次に１２は前記筒部２に、かつ前記筒部２の外側に形成された外側掛合部であり、これは前記筒部２のみに形成され、上壁３上等には形成されない。図１に示す外側掛合部１２は筒部２の上部から外方に突出部として形成されており、図２に示すものは筒部２の下端面に形成されている。
【００１３】
そして前記外側掛合部１２は少なくとも前記筒部２の内径より外側に形成されている。これによりこの外側掛合部１２に後記外蓋８の内側掛合部１３が掛合していて、この状態で容器からこのキャップを外す際、外筒８を外す力は直接筒部２に働き、他の部分に分散してしまうことを極めて少なくすることができる。
１３は前記外筒１０の内側に形成された内側掛合部であり、前記外側掛合部１２に、図１及び図２に示すように同外側掛合部１２の下側から上下方向に掛合させられている。１４は前記外筒８に形成された栓抜きを係止させる係止部であり、図１に示すものは前記外筒１０の外周一部から外方に突出して形成されており、かつ又この場合前記ヒンジ１１と一体に、ヒンジ１１の下部に設けられている。
【００１４】
次に２２は前記注出筒５の、前記係止部１４側を切欠きした場合を示し、このように構成することにより図３に示すように栓抜き２５を水平方向に近く傾けさせることができる。又前記注出筒５に関しては上記の外、図４に示すように前記係止部１４に対応する部分を薄肉部２３に形成してもよい。これは図示は省略するが栓抜き２５を前記係止部１４と注出筒５に亘って掛けた際に、注出筒５を栓抜き２５によって押しつぶすことにより、栓抜き２５を垂直方向よりも水平方向よりに斜めにすることができる。
【００１５】
更に前記注出筒５に関しては、図５に示すように前記係止部１４に対応する部分に複数の弱化線２４を形成してもよい。これも注出筒５及び係止部１４に亘って栓抜き２５を掛け、同栓抜き２５によって注出筒５を斜め下方に向けて押圧することにより下方に変形させ、又は破断させ、前記のように栓抜き２５を垂直に近い状態より水平方向に近い斜めに傾けさせることができる。
この発明においては前記切欠き２２、薄肉部２３、上下方向の複数の弱化線２４の間の部分をを一括して変形部１５と呼称する。
前記のように栓抜き２５を垂直に近い状態よりも水平方向に傾斜した状態とすることについて説明すると、仮に前記変形部１５が形成されてない場合には、図示は省略するが栓抜き２５は垂直に近い状態となり、同栓抜き２５は前記係止部１４に浅く、僅にしか係止できず、栓抜き動作ができなかったのである。
このキャップにおいては上記のように垂直に近い状態よりも水平方向に傾けることができたことにより栓抜き２５を前記係止部１４に深く、充分に係止することができ、これにより栓抜き動作をすることができるのである。
【００１６】
次に前記内側掛合部１３について述べると、図１に示すものは、筒部２の上部から環状に外側に突出した外側掛合部１２を、その下面を受ける支承部として形成される。そして同図に示すものは前記係止部１４と、前記内側、外側両掛合部１３、１２の掛合部分とは、図３に示すように係止部１４と、前記注出筒５に亘って栓抜き２５を掛けた際に、栓抜き２５の仮想の軸線２６上に位置する。或いは又仮想の軸線２６に近く位置する。このようにすることにより、栓抜きの動作のモーメントを共に受けさせ、効果的に一体的に外し取ることができる。
但し上記軸線２６とは栓抜き２５によってキャップを外す場合に同キャップに圧接する上下の部分を結ぶ仮想線を指すものである。
次に図２において前記内側掛合部１３は前記筒部２の下面の外側掛合部１２を支承するリング部として形成されている。又図１において前記係止部１４はヒンジ１１の下部にヒンジ１１と一体に形成されている。
【００１７】
なお前記係止部１４については前記のように外筒１０の外周に突出して設けられたが、これはその外に図示は省略するが外筒１０に形成した穴であってもよく、又は外筒１０下端に形成した切欠きであってもよく、この発明において係止部１４とはそれらを含むものである。又係止部１４は一例としてヒンジ１１の下部に形成して示されたが、これは一例であり、外筒１０の、ヒンジ１１下部以外の他の部分であっても差支えないことは勿論である。消費者等は、使用に際して蓋体９を開け、裂取部材１９を引っ張ってスコア６を裂切り、そこに開口を形成して容器１６内の図示しない液体商品等を注出して用いる。内容品の消費後に容器の回収の際は、蓋体９を持ち捩ることにより前記ヒンジ１１を破断し、次に一例として図３に示すように栓抜き２５を前記係止部１４及び前記注出筒５の変形部１５に亘って掛け、通常の栓抜き動作をすることにより容易に中、外両蓋１、８を一度に、一体的に外し取ることができる。
【００１８】
【発明の効果】
この発明は前記のように構成されたことにより、容器にジュース、酒類等を充填する場合に、殺菌又は充填後の醗酵の停止等のめに高温に加熱して充填する。この場合前記液体商品の熱は容器の口部を伝わり、キャップに達し、前記口部に圧接している筒部に及び、該筒部内面を軟化させ、その圧接による密閉力を減少させる。この場合該筒部の外側に圧接している水の沸点より高い軟化温度の外蓋の、外筒の前記圧接が前記減少分を補充し、前記密閉力の減少を実用上差支えない範囲に抑制することができる。そして容器内の内容液体を消費した後、容器の回収に際しては一例として蓋体を持って捩り、ヒンジから破断させる。そして前記外筒に形成した栓抜きの係止部に栓抜きをかけ、その下部を上向きに回転させ、通常の栓抜き動作によってそのキャップを外し取る。この場合前記中蓋と外蓋とは、中蓋の筒部に、かつ少なくとも前記筒部の内径より外側に形成した外側掛合部と、外蓋の外筒の内側に接して形成された内側掛合部が前記外側掛合部の下側から上下方向に掛合しているから、前記係止部と前記両掛合部の掛合箇所との半径方向の間隔は全く小さく或いは無く形成することができるから、前記半径方向の間隔の長さのもたらすモーメントによる各部分の変形による力の分散が殆ど起らずにすみ、力は殆ど直達し、かつ又前記外側掛合部は少なくとも筒部の内径より外側に形成されたことにより、外側掛合部に内側掛合部を介して加えられる力は、殆どが筒部に、該筒部を押し上げる方向に働くから、しかも外筒は前記筒部に較べて剛性が高いため、栓抜きの係止部に係る力によって外筒は伸び又は変形等は実用上無いので、ここにおいても力の分散が殆どないため、前記のように力が直達し、このため両蓋の部材の変形に伴う抜けにくさがなく、外蓋と中蓋は共に一度に一体的に前記口部から外すことができる。
【００１９】
この発明は前記のように構成されたことにより、このキャップを容器の口部から外す場合に、栓抜きをかける係止部と、外側掛合部と内側掛合部との掛合する部分との半径方向の距離は無くすことができるから、栓抜きの力の半径方向における長さが長い場合のようなモーメントによる各部材の変形がないので、かつ外筒は筒部よりも剛性が高く形成されているので、外筒の変形にもとずく力の分散が殆ど無いので、外蓋と中蓋は共に一度の栓抜き操作でもどかしい変形による抜けにくさがなく、一体的に壮快に外し取ることができる。
【００２０】
この発明は前記のように構成されたことにより、このキャップを容器の口部から外す場合、図３に示すように栓抜きの係止部と、内側、外側両掛合部の掛合部分とは、ほぼ栓抜きの軸線上に位置させることができるから、又は同軸線上に近づけることができるから、栓抜きの及ぼす力の分散がごく少くてすむため、効果的に中蓋と外蓋とを共に一体的に、一度に外すことができる。なお上記軸線とは栓抜きの際にキャップに圧接する上下の部分を結ぶ仮想線を指している。
【００２１】
また、この発明は以下の通りである。
【００２２】
この発明は前記のように構成されたことにより、係止部はヒンジと一体に、ヒンジの下部に形成されたことにより、係止部における合成樹脂の質量は大きく形成でき、かつ同係止部は中蓋より大きな剛性を有する合成樹脂によって形成されているため、ここに掛けられる栓抜きの力によっては殆ど変形しないため、変形に伴う力の分散を防止でき、キャップの外し取りに効果的に力を加えることができるから、中蓋と外蓋を一度に、一体的に外し取ることができる。又係止部はヒンジの下部に形成されているため、ヒンジを破断して蓋体を取り去らなければ係止部に栓抜きを係止できないから、このキャップの不正な開封を防止することができる。
【００２３】
この発明は前記のように構成されたことにより、栓抜きを係止部に浅く僅かにかけ、同栓抜きの上部を、注出筒の前記係止部と対応する部分に形成された切欠きに当て、又は薄肉部及び又は複数の上下方向の弱化線等から成る変形部に当て、この部分を斜め下方に押圧することにより、栓抜きは、水平方向に傾いた斜めの状態とすることができる。この場合仮に前記変形部が無い場合には、栓抜きは垂直に近い状態となり、前記係止部には浅く、僅にしか係止できず、栓抜き動作ができなかったのであるが、このように水平方向に傾けることができたことにより、栓抜きを前記係止部に充分に掛けることができ、栓抜き動作を行うことができる。かつ又内、外両掛合部の掛合部分と係止部との、半径方向の距離の少なさと相まって外蓋と中蓋を一つの動作で、一体的に共に容器から外しとることができる。
【図面の簡単な説明】
【図１】この発明の実施例を示し、容器に装着した栓抜き使用の分別回収耐熱ヒンジキャップの断面図である。
【図２】この発明の他の実施例を示し、図１に相当する図である。
【図３】図１に示すキャップを栓抜きにより外す際の説明図である。
【図４】この発明の更に他の実施例を示し、図１に相当する図である。
【図５】この発明の更に他の実施例を示し、栓抜き使用の分別回収耐熱ヒンジキャップの蓋体を破断して示したキャップの側面図である。
【符号の説明】
１        中蓋
２        筒部
３        上壁
４        係止突条
５        注出筒
６        スコア
７        開口形成部
８        外蓋
９        蓋体
１０        外筒
１１        ヒンジ
１２        外側掛合部
１３        内側掛合部
１４        係止部
１５        変形部
１６        容器
１７        口部
１８        凹条
１９        裂取部材
２０        内筒
２１        係合部
２２        切欠き
２３        薄肉部
２４        弱化線
２５        栓抜き
２６        仮想の軸線
【図１】
0004296359.tif 000002
【図２】
0004296359.tif 000003
【図３】
0004296359.tif 000004
【図４】
0004296359.tif 000005
【図５】
0004296359.tif 000006